(57)【要約】【課題】敷設構造体及びその敷設方法を提供することである。【解決手段】本発明の敷設構造体は、地面に形成された育成土収容用穴に配置された、前記敷設構造体に載る重量物を支えるためのフレーム支持手段を有し、該フレーム支持手段には外部に露出する植物植生空間が設けられ、該フレーム支持手段を前記育成土収容用穴に固定し、前記植物植生空間と接するように、前記育成土収容用穴に入れられた育成土と、前記植物植生空間に、前記育成土と接して植生された植物とを有することを特徴とする。【選択図】      図３
2004270214.tif 000002
【特許請求の範囲】
【請求項１】
敷設構造体であって、
地面に形成された育成土収容用穴に配置された、前記敷設構造体に載る重量物を支えるためのフレーム支持手段を有し、該フレーム支持手段には外部に露出する植物植生空間が設けられ、
前記フレーム支持手段を前記育成土収容用穴に固定し、前記植物植生空間と接するように、前記育成土収容用穴に入れられた育成土と、
前記植物植生空間に、前記育成土と接して植生された植物とを有する、
敷設構造体。
【請求項２】
前記フレーム支持手段が、
間隔を隔てて配置された、少なくとも２つの中間支持フレーム部材と、
前記少なくとも２つの中間支持フレーム部材で支持されるように、間隔を隔てて配置された少なくとも２つの当接支持フレーム部材とを有し、
前記植物植生空間が、隣接する前記当接支持フレーム部材間に構成される、
請求項１記載の敷設構造体。
【請求項３】
前記隣接する当接支持フレーム部材間に配置され、前記中間支持フレーム部材で支持されるスペーサ部材を有する、請求項２記載の敷設構造体。
【請求項４】
前記フレーム支持手段が、前記育成土収容用穴に形成された基礎用穴に埋設された、前記中間支持フレーム部材を支持する基礎支持フレーム部材を有する、請求項２又は請求項３記載の敷設構造体。
【請求項５】
前記中間支持フレーム部材に、該中間支持フレーム部材を横方向に貫通する横方向貫通スロットが形成されている、請求項２乃至請求項４のいずれか一項に記載の敷設構造体。
【請求項６】
敷設構造体の敷設方法であって、
育成土収容用穴を地面に形成し、
外部に露出する植物植生空間を備えた、前記敷設構造体に載る重量物を支えるためのフレーム支持手段を前記育成土収容用穴に配置し、
育成土を、前記フレーム支持手段を前記育成土収容用穴に固定し、前記植物植生空間に接するように、前記育成土収容用穴に入れ、
前記植物植生空間に、前記育成土と接して植物を植生することを含む、
敷設構造体の敷設方法。
【発明の詳細な説明】
【０００１】
【発明の属する技術分野】
本発明は、敷設構造体に関し、特に、駐車場構造体に関する。
【０００２】
【従来の技術】
種々の種類の車両を停めておくための場所、すなわち、駐車場は、コンクリートやアスファルトによって作られるのが一般的であるけれども、緑化の見地から、最近では、実際に車両によって専有される敷地の一部に、植物、特に草、好ましくは芝生が植生されることがある。
このような芝を植生した駐車場の構造、すなわち、駐車場構造体としては、例えば、図１に示すようなものが知られている。
【０００３】
全体的に参照番号１で示されるこの駐車場構造体は、駐車場を形取って地面に掘られた穴に形成された砕石層２を有する。砕石層２は、砕石を前述の穴に敷きつめ、これにローラ等によって圧をかけることによって固められ、均一な深さ、すなわち、厚さを有するように形成される。例えば、穴が２４ｃｍの深さであるとき、砕石層２は１５ｃｍほどの深さを有する。
この砕石層２の上には砂層３が形成される。砂層３の厚さは、砕石層２が１５ｃｍである前記例では、およそ３ｃｍである。
【０００４】
砂層３の上には更に複数の包囲体が敷設される。図１に示す駐車場構造体１では、各包囲体はブロック４からなり、各ブロック４は垂直方向に貫通した複数の、例えば、４つの貫通孔を備えている。各ブロック４の厚さ、すなわち、高さは、砂層３が３ｃｍである前記例では、およそ６ｃｍであり、従って、ブロック４の頂面と地面とはほぼ面一になる。
ブロック４の各貫通孔は、例えば、正方形断面を有し、砂層３上に敷設されたブロック４の各貫通孔には砂層３の頂面からおよそ３ｃｍの高さまで土が入れられて土層５が形成され、この土層５の上に、およそ３ｃｍの高さの芝生６が植生される。
【０００５】
【発明が解決しようとする課題】
しかしながら、上述した構造の駐車場構造体１では、芝生６に栄養分を与えるべき土層５は、ブロック４の貫通孔という限られた面積において、僅か３ｃｍの高さという僅かな量、存在するに過ぎなかったため、芝生６を上手に育成することができなかったという問題がある。
従って、本発明は、上述した従来技術の問題点を解決するためになされたものであり、芝生等の植物を育成し易い敷設構造体及びその敷設方法を提供することを目的とする。
【０００６】
【課題を解決するための手段】
上記目的を達成するため、本発明の敷設構造体は、地面に形成された育成土収容用穴に配置された、前記敷設構造体に載る重量物を支えるためのフレーム支持手段を有し、該フレーム支持手段には外部に露出する植物植生空間が設けられ、該フレーム支持手段を前記育成土収容用穴に固定し、前記植物植生空間と接するように、前記育成土収容用穴に入れられた育成土と、前記植物植生空間に、前記育成土と接して植生された植物とを有する、ことを特徴とする。
【０００７】
上記構成の敷設構造体によれば、敷設構造体に載る重量物を支持するための手段がフレーム支持手段であるので、かかるフレーム支持手段が占めていない育成土収容用穴の空間に育成土を充填し、且つ、この育成土によってフレーム支持手段を育成土収容用穴に固定することができる。そして、フレーム支持手段には、外部に露出する植物植生空間が設けられ、この植物植生空間は前述の育成土と接しており、この育成土に植物が植生されるので、植物を育成し易い。
【０００８】
また、本発明においては、前記フレーム支持手段が、間隔を隔てて配置された、少なくとも２つの中間支持フレーム部材と、前記少なくとも２つの中間支持フレーム部材で支持されるように、間隔を隔てて配置された少なくとも２つの当接支持フレーム部材とを有し、前記植物植生空間が、隣接する前記当接支持フレーム部材間に構成されるのが好ましい。
更に、本発明の敷設構造体は、前記隣接する当接支持フレーム部材間に配置され、前記中間支持フレーム部材で支持されるスペーサ部材を有するのが好ましい。
【０００９】
更にまた、前記フレーム支持手段が、前記育成土収容用穴に形成された基礎用穴に埋設された、前記中間支持フレーム部材を支持する基礎支持フレーム部材を有するのが好ましい。
また、前記中間支持フレーム部材に、該中間支持フレーム部材を横方向に貫通する横方向貫通スロットが形成されているのが好ましい。
【００１０】
上述した目的を達成するため、本発明の敷設構造体の敷設方法は、育成土収容用穴を地面に形成し、外部に露出する植物植生空間を備えた、前記敷設構造体に載る重量物を支えるためのフレーム支持手段を前記育成土収容用穴に配置し、育成土を、前記フレーム支持手段を前記育成土収容用穴に固定し、前記植物植生空間に接するように、前記育成土収容用穴に入れ、前記植物植生空間に、前記育成土と接して植物を植生することを含む、ことを特徴とする。
【００１１】
【発明の実施の形態】
以下、添付図面を参照して、本発明の一実施形態について説明する。この実施形態は、本発明を駐車場構造体に適用したものである。
図２は、本発明による駐車場構造体１０の外観を概略的に示し、図３は、かかる駐車場構造体１０を、その内部構造を理解し易いように、部分的に切除して示している。
【００１２】
図３から良く分かるように、この駐車場構造体１０を作るためには、先ず、駐車場（スペース）の形に対応して育成土収容用穴１１を掘る。駐車場の形は、勿論、任意の形状で良い。この実施形態では、駐車場、すなわち、駐車場構造体１０（及び、これに対応する育成土収容用穴１１）は、図１に示すように、平面視で、幅Ｗと長さＬとを有する長方形であり、この育成土収容用穴１１の深さは全体に亘って、従来技術として説明した構造体と同様に、２４ｃｍとした。
次いで、この長方形の育成土収容用穴１１に、その幅Ｗ方向に間隔を隔てて、その長さＬ方向と平行に延びるように複数本、この実施形態では、３本の基礎用穴１２を掘る。隣接する基礎用穴１２間の間隔は、この実施形態では、およそ９０ｃｍとした。
【００１３】
駐車場構造体１０は、この駐車場構造体１０上に駐車される車両の重量を支えるための支持フレーム手段を有する。
この支持フレーム手段は、各基礎用穴１２に埋設される基礎支持フレーム部材２０と、該基礎支持フレーム部材２０に沿って基礎支持フレーム部材２０上に載置され、育成土収容用穴１１に埋設される中間支持フレーム部材３０と、これらの中間支持フレーム部材３０間に延びるように中間支持フレーム部材３０上に載置される当接支持フレーム部材４０とを有する。
【００１４】
各基礎支持フレーム部材２０は底部平坦板２１を有し、この底部平坦板２１は各基礎用穴１２に敷設される。底部平坦板２１は、各基礎用穴１２の長さに亘って連続的に延びる１つの平坦板でも良いし、２つ以上の平坦板を互いに隣接させて各基礎用穴１２の長さに亘って配置しても良い。後者の場合、隣接する平坦板を間隔を隔てて配置しても良い。
【００１５】
各底部平坦板２１は駐車場構造体１０上に駐車される車両の重量を一定年月に亘って支持することができる剛性、強度を備えた材料であれば任意の材料、例えば、石、木、プラスチック、金属等で作ることができ、本実施形態では、モルタルで作られている。底部平坦板２１はまた、駐車場構造体１０を作る際に、水平をだすのにも役立つ。
【００１６】
基礎支持フレーム部材２０はまた、各基礎用穴１２内において底部平坦板２１上に載置されるつか石部材２２を有する。つか石部材２２は、駐車場構造体１０上に駐車される車両の重量を一定年月に亘って支持することができる剛性、強度を備えた材料であれば任意の材料、例えば、木、プラスチック、金属等で作ることができ、本実施形態では、矩形断面のコンクリートブロックからなる。つか石部材２２は、幅が底部平坦板２１よりも短く、高さ（厚みが）底部平坦板２１よりも高い。つか石部材２２も、駐車場構造体１０を作る際に水平をだすのに役立ち、また、墨出しに役立つ。
【００１７】
つか石部材２２は、各基礎用穴１２の長さに亘って連続的に延びる１つの部材でも良いし、２つ以上の部材を互いに隣接させて底部平坦板２１の長さに亘って配置しても良い。後者の場合、隣接する平坦板を間隔を隔てて底部平坦板２１上に載置しても良い。
本実施形態では、つか石部材２２は、図２に示すように、その頂面が育成土収容用穴１１の底面と面一になるように位置決めされている。
【００１８】
各基礎用穴１２に底部平坦板２１を敷設し、かかる底部平坦板２１上につか石部材２２を載置した後、（本実施形態では、つか石部材２２の頂面のみが露出するように、）各基礎用穴１２に土を入れて底部平坦板２１及びつか石部材２２を基礎用穴１２に固定する。
次いで、各基礎用穴１２のつか石部材２２の上に中間支持フレーム部材３０を載置する。
【００１９】
これら３本の中間支持フレーム部材３０Ａ、３０Ｂ、３０Ｃの夫々は、駐車場構造体１０上に駐車される車両の重量を一定年月に亘って支持することができる剛性、強度を備えた材料であれば任意の材料、例えば、石、プラスチック、金属等で作ることができ、本実施形態では、木材で作られている。
中間支持フレーム部材３０は、幅がつか石部材２２よりも短く、高さ（厚みが）つか石部材２２よりも高い。
【００２０】
中間支持フレーム部材３０はまた、各基礎用穴１２の長さに亘って連続的に延びる１つの部材でも良いし、２つ以上の中間支持フレーム部材を互いに隣接させて各基礎用穴１２の長さに亘って配置しても良い。後者の場合、隣接する中間支持フレーム部材を間隔を隔ててつか石部材２２上に載置しても良い。
各中間支持フレーム部材３０には、これを横方向に貫通する横方向スロット３１が少なくとも１つ以上形成される。本実施形態では、横方向スロット３１は、等間隔隔てて複数個設けられている。１つの基礎用穴１２に中間支持フレーム部材を間隔を隔てて配置することによって、隣接する中間支持フレーム部材間に横方向スロット３１を形成しても良い。
【００２１】
つか石部材２２の上に中間支持フレーム部材３０を載置した後、或いは、つか石部材２２の上に中間支持フレーム部材３０を載置しながら、育成土収容用穴１１に、土、すなわち、後述する芝生を養生、或いは、育成するのに必要な育成土６０、好ましくは、株式会社イケガミから「アクアソイル」（登録商標）の名称で販売されている培養土を入れて、中間支持フレーム部材３０を育成土収容用穴１１に固定する。アクアソイルは、植物の育成に適した培養土であるけれども、路床・路盤の支持力を表す指数であるＣＢＲ値（Ｃａｌｉｆｏｒｎｉａ  ｂｅａｒｉｎｇ  ｒａｔｉｏ）が１１であり、一般的な土のＣＢＲ値が３であるのに対して硬いので、駐車場構造体１０上に駐車される車両の重量を支持するのにも適している。
【００２２】
次いで、複数の当接支持フレーム部材４０を、互いに間隔を隔てて、中間支持フレーム部材３０間に延びるように、中間支持フレーム部材３０上に載置する。各当接支持フレーム部材４０は、駐車場構造体１０上に駐車される車両の重量を一定年月に亘って支持することができる剛性、強度を備えた材料であれば任意の材料、例えば、石、プラスチック、金属等で作ることができ、本実施形態では、木材で作られている。
【００２３】
本実施形態では、各当接支持フレーム部材４０は、中間支持フレーム部材３０と直交する方向（すなわち、駐車場構造体１０の幅Ｗ方向と平行）に位置決めされ、駐車場構造体１０の幅Ｗ方向の両側に位置する中間支持フレーム部材３０Ａと中間支持フレーム部材３０Ｃとの間を連続的に延びて、当接支持フレーム部材４０の各側端部４０Ａ、４０Ｂが、夫々、中間支持フレーム部材３０Ａ、中間支持フレーム部材３０Ｃを越えて駐車場構造体１０の幅Ｗ方向外方に突出するように配置される。
【００２４】
間隔を隔てられて隣接する当接支持フレーム部材４０間の間隔を維持するためのスペーサ部材５０が、隣接する当接支持フレーム部材４０間で、中間支持フレーム部材３０上に載置される。本実施形態では、スペーサ部材５０は、隣接する当接支持フレーム部材４０の側端部４０Ａと側端部４０Ａとの間で、中間支持フレーム部材３０Ａ上に配置され、同様に、隣接する当接支持フレーム部材４０の側端部４０Ｂと側端部４０Ｂ間で、中間支持フレーム部材３０Ｃ上に配置されている。
【００２５】
スペーサ部材５０もまた、駐車場構造体１０上に駐車される車両の重量を一定年月に亘って支持することができる剛性、強度を備えた材料であれば任意の材料、例えば、石、プラスチック、金属等で作るのが好ましく、本実施形態では、木材で作られている。スペーサ部材５０の高さは、本実施形態では、中間支持フレーム部材３０の高さと同じであり、これらの部材３０、４１は、互いに、且つ、育成土収容用穴１１の仮想頂面、すなわち、地面Ｇと面一に位置決めされる。
【００２６】
隣接する当接支持フレーム部材４０（詳細には、一方の当接支持フレーム部材４０の後端面及びこの後端面と対向する、他方の当接支持フレーム部材４０の前端面）と、これらの間に配置された対向するスペーサ部材５０（詳細には、これらの各内端面）とによって空間７０が形成され、かかる空間は芝生植生空間を構成する。
【００２７】
中間支持フレーム部材３０及びスペーサ部材５０を上述した所定位置に配置した後、育成土６０を更に、芝生植生空間７０についてはその全高のおよそ半分の高さまで（すなわち、中間支持フレーム部材３０及びスペーサ部材５０全高のおよそ半分の高さまで）、その他の領域については地面Ｇと面一になるまで、育成土収容用穴１１に入れる。
【００２８】
最後に、芝生植生空間７０に入れられた育成土６０に芝生８０を植生する。本実施形態では、芝生８０は、その葉先が地面Ｇと面一になるように植生されているけれども、葉先の高さ位置は本発明において重要ではない。
【００２９】
上述した構造の駐車場構造体１０では、この上に駐車される車両の重量を支持フレーム手段２０、３０、４０によって支持しながら、育成土収容用穴１１に収容された（図１を参照して説明した従来の駐車場構造体１における土層５と比較して）大量の育成土６０によって芝生８０を養生することができる。
【００３０】
本発明は、上述した実施形態に限定されることなく、種々の変更が可能である。
例えば、上記実施形態では、３本の中間支持フレーム部材３０が使用されたけれども、２本であっても良いし、４本以上であっても良い。
また、当接支持フレーム部材４０は、中間支持フレーム部材３０に対して９０°の角度に位置決めされていたけれども、かかる角度は任意の角度で良い。
【００３１】
更に、上記実施形態では、当接支持フレーム部材４０は、中間支持フレーム部材３０Ａと中間支持フレーム部材３０Ｃとの間を連続的に延びていたけれども、中間支持フレーム部材３０Ａと中間支持フレーム部材３０Ｂとの間、或いは、中間支持フレーム部材３０Ｂと中間支持フレーム部材３０Ｃとの間を延びるようにしても良い。
更にまた、上記実施形態では、当接支持フレーム部材４０が、中間支持フレーム部材３０上に載置されることによって中間支持フレーム部材３０で支持されていたけれども、例えば、これらの部材３０、４０に夫々形成したほぞ、ほぞ穴によって、当接支持フレーム部材４０を中間支持フレーム部材３０で支持しても良い。この場合には、スペーサ部材５０を不要にすることも可能である。
【００３２】
また、上記実施形態では、スペーサ部材５０は、中間支持フレーム部材３０Ａ、３０Ｃ上にのみ載置されていたけれども、間隔を隔てられて隣接する当接支持フレーム部材４０間で、中間支持フレーム部材３０Ｂ上にも載置されて良い。また、スペーサ部材５０を中間支持フレーム部材３０Ｂ上にのみ載置しても良い。
更に、上記実施形態では、支持フレーム手段は、夫々別個の、基礎支持フレーム部材２０、中間支持フレーム部材３０、当接支持フレーム部材４０によって構成されていたけれども、これらの部材の全部、或いは、一部を一体形成しても良い。
【００３３】
【発明の効果】
以上のとおり、本発明は、芝生等の植物を育成し易い敷設構造体及びその敷設方法を提供することができる。
【図面の簡単な説明】
【図１】従来の駐車場構造体を示す概略断面図である。
【図２】本発明による駐車場構造体の一実施形態を示す概略図である。
【図３】図２に示す駐車場構造体の内部構造を部分的に省略して示す概略断面図である。
【符号の説明】
１０  駐車場構造体（敷設構造体）
１１  育成土収容用穴
２０、３０、４０  フレーム支持手段
６０  育成土
７０  芝生植生空間（植物植生空間）
８０  芝生（植物）
【図１】
2004270214.tif 000003
【図２】
2004270214.tif 000004
【図３】
2004270214.tif 000005